(57)【要約】【課題】ロール芯に印刷用の媒体が巻かれた媒体ロールを用いる印刷装置において、媒体ロールをより適切に保持する。【解決手段】ロール芯５２に印刷用の媒体５０が巻かれた媒体ロール３０を保持するロールホルダ１８ａであって、ロール芯５２の中空部に挿入される軸部１０２と、ロール芯５２の中空部に軸部１０２が挿入された状態において、ロール芯５２の端部から離間して、軸部１０２の外周面上に固定して設けられる固定部材１０４と、一端側より他端側の厚みが小さなテーパー形状をしており、厚みの大きな一端側を固定部材１０４に向けて、軸部１０２の外周面上で固定部材１０４とロール芯５２との間に設けられるテーパー状部材１０８と、予め設定された方向への回転に応じて、テーパー状部材１０８の少なくとも一部をロール芯５２の中空部へ押し込む押し込みネジ１１０とを備える。【選択図】図３
2009173406.tif 000002
【特許請求の範囲】
【請求項１】
長手方向に中空部が貫通する管状のロール芯に印刷用の媒体が巻かれた媒体ロールを保持するロールホルダであって、
前記ロール芯の前記中空部に挿入される、前記ロール芯よりも長い棒状の軸部と、
前記ロール芯の中空部に前記軸部が挿入された状態において、前記ロール芯の端部から離間して、前記軸部の外周面上に固定して設けられる固定部材と、
一端側より他端側の厚みが小さなテーパー形状をしており、厚みの大きな前記一端側を前記固定部材側に向けて、前記軸部の外周面上で前記固定部材と前記ロール芯との間に設けられるテーパー状部材と、
予め設定された方向への回転に応じて前記テーパー状部材の少なくとも一部を前記ロール芯の中空部へ押し込む押し込みネジと
を備え、
前記固定部材には、前記押し込みネジと螺合するネジ山が形成されており、
前記押し込みネジは、前記予め設定された方向への回転に応じて、前記固定部材の前記ネジ山に従って、前記固定部材から前記ロール芯へ近づく方向へ進行することを特徴とするロールホルダ。
【請求項２】
前記押し込みネジによって前記中空部へ押し込まれた前記テーパー状部材の位置を固定する位置固定用ネジを更に備えることを特徴とする請求項１に記載のロールホルダ。
【請求項３】
前記固定部材は、前記軸部を貫通させる環状体であり、
前記ロールホルダは、前記固定部材と、前記テーパー状部材との間に、前記軸部を貫通させる環状体である中間部材を更に備え、
前記ロール状部材の前記一端側は、前記中間部材に対して固定されており、
前記押し込みネジは、前記中間部材を押し出すことにより、前記テーパー状部材の少なくとも一部を前記中空部へ押し込むことを特徴とする請求項１又は２に記載のロールホルダ。
【請求項４】
長手方向に中空部が貫通する管状のロール芯に印刷用の媒体が巻かれた媒体ロールを用いて印刷を行う印刷装置であって、
請求項１から３のいずれかに記載のロールホルダと、
前記ロールホルダに保持される前記媒体ロールから前記媒体を繰り出して搬送する媒体搬送部と、
前記媒体搬送部により搬送される前記媒体に印刷を行う印刷ヘッドと
を備えることを特徴とする印刷装置。
【発明の詳細な説明】
【技術分野】
【０００１】
本発明は、ロールホルダ及び印刷装置に関する。
【背景技術】
【０００２】
従来、ロール芯に印刷用の媒体が巻かれたロール状の媒体（媒体ロール）を用いる印刷装置が知られている（例えば、特許文献１参照。）。このような媒体ロールは、例えば、紙管等のロール芯に通す棒状のロールホルダを用いて、印刷装置に保持される。
【特許文献１】特開２００２−２４０３７４号公報
【発明の開示】
【発明が解決しようとする課題】
【０００３】
このような構成において、高い精度で印刷を行うためには、ロールホルダと媒体ロールとの中心軸間の偏心を抑えることが重要である。また、中心軸間の偏心を抑えるためには、例えば、作業者の手の力による直接の押し込みや、ハンマー等を使用して、ロールホルダの軸部と媒体ロールのロール芯との間に、テーパー状の部材を圧入することが考えられる。
【０００４】
しかし、このような方法でテーパー状の部材を圧入しようとする場合、テーパー状の部材の圧入量が不十分になり、結果として、ロールホルダと媒体ロールとの中心軸間の偏心が大きくなる場合がある。そして、偏心が大きくなると、印刷の作図画質に悪影響が生じることとなる。
【０００５】
また、近年、インクジェットプリンタ等の印刷装置は、屋外広告用の媒体等の大型の媒体に対する印刷に用いられる場合がある。そして、このような媒体が巻き取られた媒体ロールの重さは、５０ｋｇ以上や、１００ｋｇ近く（例えば５０〜１００ｋｇ）になる場合がある。
【０００６】
そのため、このような大型の媒体が用いられる場合、作業者の手の力による直接の押し込みやハンマー等を使用してテーパー状の部材を圧入する方法では、テーパー状の部材を適切に圧入することが特に困難になる。そして、テーパー状の部材を適切に圧入することができなくなると、印刷の作図画質に悪影響が生じ、例えば、屋外広告用の媒体等の印刷において求められる印刷精度を満たすことが困難になる。
【０００７】
そのため、従来、ロール芯に印刷用の媒体が巻かれた媒体ロールを用いる印刷装置において、媒体ロールをより適切に保持する方法が求められていた。そこで、本発明は、上記の課題を解決できるロールホルダ及び印刷装置を提供することを目的とする。
【課題を解決するための手段】
【０００８】
上記の課題を解決するために、本発明は、以下の構成を有する。
（構成１）長手方向に中空部が貫通する管状のロール芯に印刷用の媒体が巻かれた媒体ロールを保持するロールホルダであって、ロール芯の中空部に挿入される、ロール芯よりも長い棒状の軸部と、ロール芯の中空部に軸部が挿入された状態において、ロール芯の端部から離間して、軸部の外周面上に固定して設けられる固定部材と、一端側より他端側の厚みが小さなテーパー形状をしており、厚みの大きな一端側を固定部材側に向けて、軸部の外周面上で固定部材とロール芯との間に設けられるテーパー状部材と、予め設定された方向への回転に応じて、テーパー状部材の少なくとも一部をロール芯の中空部へ押し込む押し込みネジとを備え、固定部材には、押し込みネジと螺合するネジ山が形成されており、押し込みネジは、予め設定された方向への回転に応じて、固定部材のネジ山に従って、固定部材からロール芯へ近づく方向へ進行する。
【０００９】
このロールホルダは、例えば給紙側のロールホルダであり、搬送方向において印刷ヘッドよりも上流側に設けられる。押し込みネジは、例えばボルト等の雄ネジである。この場合、固定部材には、例えば、押し込みネジを通す雌ネジ状のネジ穴が形成される。押し込みネジは、例えば、軸部の長手方向と平行に固定部材を貫通する。
【００１０】
このように構成すれば、例えば、容易かつ高い精度でテーパー状部材を適切に押し込むことができる。また、例えば媒体ロールの重量が大きい場合であっても、十分にテーパー状部材を押し込むことができる。そのため、このように構成すれば、例えば、ロールホルダの軸部と媒体ロールとの中心軸間の偏心を適切に抑えることができる。また、これにより、媒体ロールを適切に保持し、偏心により印刷の作図画質に悪影響が生じること等を適切に防ぐことができる。
【００１１】
尚、ロールホルダは、複数のテーパー状部材を備えてもよい。このように構成すれば、例えば、ロールホルダの軸部と媒体ロールとの中心軸間の偏心をより適切に抑えることができる。また、ロールホルダは、例えば、軸部の一端及び他端側のそれぞれに、固定部材及びテーパー状部材を備えてよい。このように構成すれば、例えば、媒体ロールの一端側及び他端側のそれぞれにおいて、テーパー状部材を適切に圧入させることができる。また、これにより、媒体ロールをより適切に保持できる。
【００１２】
また、このロールホルダは、排紙側のロールホルダであってもよい。この場合、ロールホルダは、搬送方向において印刷ヘッドよりも下流側に設けられる。このように構成すれば、例えば、印刷後の媒体を高い精度で巻き取ることにより、媒体の搬送をより円滑に行うことができる。また、これにより、例えば、より高い精度で印刷を行うことが可能になる。
【００１３】
（構成２）押し込みネジによって中空部へ押し込まれたテーパー状部材の位置を固定する位置固定用ネジを更に備える。位置固定用ネジは、例えば、軸部に対するテーパー状部材の位置を固定する。このように構成すれば、例えば、テーパー状部材を押し込んだ状態を適切に維持できる。また、これにより、媒体ロールをより適切に保持できる。
【００１４】
（構成３）固定部材は、軸部を貫通させる環状体であり、ロールホルダは、固定部材と、テーパー状部材との間に、軸部を貫通させる環状体である中間部材を更に備え、ロール状部材の一端側は、中間部材に対して固定されており、押し込みネジは、中間部材を押し出すことにより、テーパー状部材の少なくとも一部を中空部へ押し込む。このように構成すれば、例えば、より適切にテーパー状部材を圧入させることができる。
【００１５】
（構成４）長手方向に中空部が貫通する管状のロール芯に印刷用の媒体が巻かれた媒体ロールを用いて印刷を行う印刷装置であって、構成１から３のいずれかに記載のロールホルダと、ロールホルダに保持される媒体ロールから媒体を繰り出して搬送する媒体搬送部と、媒体搬送部により搬送される媒体に印刷を行う印刷ヘッドとを備える。
【００１６】
このように構成すれば、例えば、構成１から３と同様の効果を得ることができる。印刷装置は、媒体の搬送方向における印刷ヘッドの下流側に、上記のロールホルダと同一又は同様の第２のロールホルダを更に備えてもよい。この第２のロールホルダは、例えば、印刷ヘッドにより印刷がされた媒体がロール芯に巻かれた媒体ロールを保持する。
【発明の効果】
【００１７】
本発明によれば、例えば、ロール芯に印刷用の媒体が巻かれた媒体ロールを用いる印刷装置において、媒体ロールをより適切に保持できる。
【発明を実施するための最良の形態】
【００１８】
以下、本発明に係る実施形態を、図面を参照しながら説明する。図１は、本発明の一実施形態に係る印刷装置１０の構成の一例を示す。本例において、印刷装置１０は、ロール芯５２に印刷用の媒体５０が巻かれた媒体ロール３０を用いて印刷を行うインクジェットプリンタであり、印刷ヘッド１２、プラテン１４、複数のローラ１６ａ〜１６ｄ、及び複数のロールホルダ１８ａ、１８ｂを備える。
【００１９】
印刷ヘッド１２は、媒体５０に対してインクを吐出するインクジェットヘッドである。印刷ヘッド１２は、所定の主走査方向及び副走査方向へ媒体５０に対して相対的に移動することにより、媒体５０上の各位置へインクを吐出する。プラテン１４は、印刷ヘッド１２によりインクが吐出される媒体５０を上面に保持する台である。
【００２０】
複数のローラ１６ａ〜１６ｄは、媒体搬送部の一例であり、ロールホルダ１８ａに保持される媒体ロール３０から媒体５０を繰り出して搬送する。また、これにより、複数のローラ１６ａ〜１６ｄは、印刷ヘッド１２を、副走査方向へ、媒体５０に対して相対的に移動させる。
【００２１】
複数のロールホルダ１８ａ、１８ｂは、媒体ロール３０を保持する保持部材である。本例において、ロールホルダ１８ａ、１８ｂは、棒状の軸部を有しており、その軸部を媒体ロール３０のロール芯５２に通すことにより、媒体ロール３０を保持する。
【００２２】
尚、本例において、ロールホルダ１８ａは、媒体５０の搬送方向において印刷ヘッド１２よりも上流側に設けられており、印刷ヘッド１２により印刷がされる前の媒体５０が巻かれた媒体ロール３０を保持する。ロールホルダ１８ｂは、媒体５０の搬送方向において印刷ヘッド１２よりも下流側に設けられており、印刷ヘッド１２により印刷がされた後の媒体５０が巻かれた媒体ロール３０を保持する。また、ロールホルダ１８ａ、１８ｂは、例えば、軸部を中心に回転可能に印刷装置１０の本体に保持される。これにより、ロールホルダ１８ａは、ローラ１６ａ〜ｄによる媒体５０の搬送に応じて、媒体ロール３０を回転させる。また、ロールホルダ１８ｂは、上流側から搬送される媒体５０を、媒体ロール３０に巻き取らせる。
【００２３】
また、本例において、媒体５０は、例えば屋外広告用の媒体である。媒体５０の幅は、例えば１〜３ｍである。また、媒体５０の長さは、例えば２〜５ｍである。また、媒体ロール３０のロール芯５２は、例えば、直線の棒状体の中心軸に沿って長手方向へ中空部が貫通する管状体である。ロール芯５２としては、例えば紙管を好適に用いることができる。また、媒体５０の全体が巻かれた状態で、媒体ロール３０の重さは、例えば５０〜１００ｋｇである。
【００２４】
図２及び図３は、ロールホルダ１８の詳細な構成の一例を示す。図２は、ロールホルダ１８ａの一端付近を示す斜視図である。図３は、ロールホルダ１８ａの主要な構成の断面を媒体ロール３０と共に示す概略図であり、２個の押し込みネジ１１０が切断面に表れるようにロールホルダ１８ａ及び媒体ロール３０を切断した断面の概略を示す。
【００２５】
尚、ロールホルダ１８ａにおいては、図２に示されている一端側と反対の他端側も、一端側と同一又は同様の構成を有する。また、印刷ヘッド１２（図１参照）の下流側に設けられるロールホルダ１８ｂ（図１参照）も、ロールホルダ１８ａと同一又は同様の構成を有する。
【００２６】
本例において、ロールホルダ１８ａは、軸部１０２、固定部材１０４、固定部材固定用ネジ１１４、中間部材１０６、テーパー状部材１０８、押し込みネジ１１０、及び位置固定用ネジ１１２を有する。また、ロールホルダ１８ａは、このうち、固定部材１０４、固定部材固定用ネジ１１４、中間部材１０６、テーパー状部材１０８、押し込みネジ１１０、及び位置固定用ネジ１１２を、ロールホルダ１８ａの一端側及び他端側にそれぞれ有する。更に、本例において、ロールホルダ１８ａは、一端側及び他端側のそれぞれに、複数のテーパー状部材１０８、及び複数の押し込みネジ１１０を有する。
【００２７】
軸部１０２は、ロール芯５２の中空部に挿入される棒状部材である。本例において、軸部１０２は、少なくともロール芯５２に挿入される部分の断面が円形の円柱状である。また、軸部１０２の長さは、ロール芯５２よりも長い。
【００２８】
固定部材１０４は、軸部１０２を貫通させる環状体であり、軸部１０２の外周面上に固定して設けられる。本例において、固定部材１０４は、ロール芯５２の中空部に軸部１０２が挿入された状態においてロール芯５２の端部から離間する位置に設けられる。そして、その隙間に設けられる中間部材１０６及びテーパー状部材１０８を挟んで、軸部１０２は、ロール芯５２の端部と対向する。また、固定部材１０４には、例えば、押し込みネジ１１０を通す雌ネジ状のネジ穴が形成されている。このネジ穴は、軸部１０２の長手方向と平行に押し込みネジ１１０を貫通させる貫通穴である。また、このネジ穴には、押し込みネジ１１０と螺合するネジ山が形成されている。
【００２９】
固定部材固定用ネジ１１４は、軸部１０２に対する固定部材１０４の位置を固定するボルトである。中間部材１０６は、軸部１０２を貫通させる環状体であり、軸部１０２とテーパー状部材１０８との間に設けられる。また、本例において、中間部材１０６は、軸部１０２と略同径の環状体である。
【００３０】
テーパー状部材１０８は、ロール芯５２の中空部に少なくとも一部が押し込まれる圧入部分である。本例において、テーパー状部材１０８は、一端側より他端側の厚みが小さなテーパー形状をしており、厚みの大きな一端側を固定部材１０４及び中間部材１０６側に向けて、軸部１０２の外周面上で、中間部材１０６とロール芯５２との間に設けられる。テーパー状部材１０８は、例えば、厚みの小さな他端側の先端がロール芯５２の中空部に挿入された状態で、中間部材１０６とロール芯５２との間に設けられてもよい。
【００３１】
尚、本例のテーパー状部材１０８において、厚みの大きな一端側は、中間部材１０６に対して固定される。中間部材１０６とロール芯５２との間には、複数のテーパー状部材１０８が設けられる。複数のテーパー状部材１０８は、例えば、軸部１０２の外周を囲む円方向に並んで配置される。
【００３２】
押し込みネジ１１０は、中間部材１０６を押し出すボルト（アジャスター・ボルト）である。本例において、押し込みネジ１１０は、軸部１０２の長手方向と平行に固定部材を貫通しており、予め設定された方向への回転に応じて、固定部材１０４のネジ穴に形成されているネジ山に従って、固定部材１０４からロール芯５２へ近づく方向へ進行する。そして、この進行により、中間部材１０６を押し出す。また、中間部材１０６を押し出すことにより、中間部材１０６に対して固定されているテーパー状部材１０８を移動させ、ロール芯５２の中空部へテーパー状部材１０８を押し込む。そのため、本例によれば、例えば、容易かつ高い精度でテーパー状部材１０８を適切に押し込むことができる。
【００３３】
位置固定用ネジ１１２は、中間部材１０６の位置を固定するボルト（ロック・ボルト）である。本例において、位置固定用ネジ１１２は、テーパー状部材１０８が押し込まれた後に軸部１０２及び固定部材１０４に対する中間部材１０６の位置を固定することにより、ロール芯５２の中空部へ押し込まれたテーパー状部材１０８の位置を固定する。これにより、例えば、テーパー状部材１０８を押し込んだ状態を適切に維持できる。
【００３４】
以上のように、本例のロールホルダ１８ａにおいて軸部１０２の外周面に設けられる構成は、軸部１０２に対して固定された構成である固定部材１０４等と、固定部材１０４から独立した構成であり、軸部１０２に対して移動可能な中間部材１０６及びテーパー状部材１０８等とに分割されている。そして、この分割された構成において、固定部材１０４側から押し込みネジ１１０を回転させることにより、固定部材１０４と中間部材１０６との距離を変化させ、テーパー状部材１０８をロール芯５２の中空部分へ圧入させる。また、テーパー状部材１０８の圧入後には、位置固定用ネジ１１２により、固定部材１０４と中間部材１０６との距離を固定する。
【００３５】
そのため、本例によれば、例えば、容易かつ高い精度で、ロール芯５２の中空部へテーパー状部材１０８を適切に押し込むことができる。これにより、媒体ロール３０を適切に保持し、例えば、軸部１０２と媒体ロール３０との中心軸間の偏心を適切に抑えることができる。また、偏心により印刷の作図画質に悪影響が生じることを適切に防ぐことができる。
【００３６】
更には、本例において、押し込みネジ１１０を回す作業は、例えば作業者の手の力による直接の押し込みを行う場合や、ハンマー等を使用する場合と比べ、作業者にかかる負担が小さい。そのため、例えば媒体ロール３０の重量が大きい場合であっても、作業者に大きな負担をかけることなく、十分な圧入量で適切にテーパー状部材１０８を圧入させることができる。従って、本例によれば、媒体ロール３０の重量が大きい場合であっても、ロールホルダ１８ａにより、媒体ロール３０をに高い精度で確実に保持できる。
【００３７】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００３８】
本発明は、例えば印刷装置に好適に利用できる。
【図面の簡単な説明】
【００３９】
【図１】本発明の一実施形態に係る印刷装置１０の構成の一例を示す図である。
【図２】ロールホルダ１８ａの一端付近を示す斜視図である。
【図３】ロールホルダ１８ａの主要な構成の断面を媒体ロール３０と共に示す概略図である。
【符号の説明】
【００４０】
１０・・・印刷装置、１２・・・印刷ヘッド、１４・・・プラテン、１６ａ、１６ｂ、１６ｃ、１６ｄ・・・ローラ（媒体搬送部）、１８・・・ロールホルダ、３０・・・媒体ロール、５０・・・媒体、５２・・・ロール芯、１０２・・・軸部、１０４・・・固定部材、１０６・・・中間部材、１０８・・・テーパー状部材、１１０・・・押し込みネジ、１１２・・・位置固定用ネジ、１１４・・・固定部材固定用ネジ
【図１】
2009173406.tif 000003
【図２】
2009173406.tif 000004
【図３】
2009173406.tif 000005